(57)【要約】      （修正有）【課題】斜面の地山の掘削・運搬を最小限にする事が出来、地山側で作業をする事無く型枠を解体・搬出出来る災害復旧工事における擁壁工事を提供する。【解決手段】現場において施工するコンクリートの型枠１及び部材を主に鋼製とする。水抜き穴３にセパレート２を通し、コンクリート打設後セパレートを取り外して法面側の型枠を作業員が入らなくても外せるようにした。数段施工する場合には、型枠が鋼製で有っても縦の押さえが必要になるので、型枠緊結金具を重ね繋ぎが出来るようにした。【選択図】図１
2018009430.tif 000002
【特許請求の範囲】
【請求項１】
崖地・斜面等での擁壁工事等に於ける切土を少なくし、発生土の運搬・発生土仮置き・施工中、施工後の埋め戻し工事の作業量を少なくする事が出来、工期短縮・工事費削減・危険回避が可能な擁壁工事等の型枠。
【請求項２】
崖地・土砂崩れ・河川護岸工事等に於いて、裏側の土砂等の除去を最小限にする為に表側から外し、裏側での作業を無くし安全に型枠を解体する為の請求項１記載のセパレータ。
【請求項３】
型枠の撤去前に土砂が流入した場合でも解体の出来る請求項１記載の鉄板による型枠。
【請求項４】
傾斜の有る型枠・平行で無い型枠に於いて、セパレータを曲げずに施工する事が出来る部材。（１４・１４ａ・１４ｂ）
【請求項５】
状況により単管パイプ等を縦横等２段以上にする必要が有る場合に重ねて繋ぐ事が出来るホームタイ。
【請求項６】
セパレータを使用する必要が無く、型枠にホームタイを取り付ける必要が有る場合に使用する事が出来る部材。（１３）
【請求項７】
傾斜が有る場合等の法面と型枠とを支持し安定する事が出来る部材。
（１５・１６・１７ａ・１７ｂ・１７ｃ・１８）
【請求項８】
水抜き穴から土・砕石等が流出する事を防ぐ為のキャップを表側から取り付ける事が出来る挿入棒及びキャップ。
【請求項９】
現場打ちコンクリートでの擁壁等は殺風景に成り易いが、現場打ちで有っても模様が出来る様に加工をし、色彩が必要な場所に於いては色素注入が出来る様にニップルを付けた型枠。（１６・２１・２２・２３）
【発明の詳細な説明】
【技術分野】
【０００１】      本発明は、土砂災害・法面崩壊等における緊急災害復旧工事等においての工期短縮・工事費削減・危険回避を考慮した擁壁工事に関するものである。
【背景技術】
【０００２】      従来の擁壁等の工事の方法は、擁壁を施工する山側の土を削って足場を組み立てる為に大量の土を切土し、搬出している。【０００３】      また、工事進行中や工事後に搬出した切土を再度擁壁の裏にあたる山側に埋め戻している。【０００４】      河川の護岸工事や道路の法面の擁壁にはコンクリート２次製品のブロック等が使用されるが、注文してから搬入までの日数が掛かる場合が多い。【０００５】    一般に使用されているブロックにおいては、経験・体力等が必要不可欠であり、工事所要日数も長期に成る事が多い。【０００６】    山間部等において大型ブロックを使用する場合に、輸送の問題が発生する事が多い。【０００７】    型枠等の組み立て及び解体等において、重大な災害が起こる事がある。
【発明の概要】
【発明が解決しようとする課題】
【０００８】    現在木製の型枠が一般的であるが、自然破壊や、ゴミによる環境汚染が深刻な問題と成っている。【０００９】    擁壁の工事をする法面の切土を最大限に減らし、時間・労務費・化石燃料の削減を行う必要がある。【００１０】    従来の工法によるコンクリート工事の法面や、コンクリート２次製品では色彩が無く、殺風景である。【００１１】    工事施工中の法面崩落による重大災害を無くす為に、施工する擁壁と法面の間には立ち入らないようにする必要がある。
【課題を解決するための手段】
【００１２】    現場において施工するコンクリートの型枠及び部材を主に鋼製とする。【００１３】    水抜き穴にセパレートを通し、コンクリート打設後セパレートを取り外して法面側の型枠を作業員が入らなくても外せるようにした。【００１４】    数段施工する場合には、型枠が鋼製で有っても縦の押さえが必要になるので、ホームタイを重ね繋ぎが出来るようにした。（図２・図３）【００１５】    斜壁等で型枠とセパレートが直角とならない場合、セパレートを曲げて施工するとコンクリート打設時に型枠が開いてしまい、正確な施工が出来なくなるため、セパレートを曲げずに角度のついた部材を取り付ける。（図６・図７）【００１６】    法面に矢板等が施工出来無く、型枠やホームタイ等が設置・解体出来ない場合等は鉄板に補強板を取り付けて内ネジを施し、セパレートをねじ込んで型枠とする。（図８）【００１７】    水抜き穴が不要な場所にホームタイを取り付ける場合には、型枠をホームタイと部材で挟み単管等を取り付ける。（図９−１３）【００１８】    鉄板を型枠として法面側に設置する場合安定しないので、先行して部材をアンカーで固定してから部材の上に乗せて施工する。鉄板の上部には固定のためズレ止め用に部材を取り付けて、サポートをボルトで固定する。（図１０・図１１）【００１９】    水抜き穴から土や砕石等が流出しないように法面側にキャップをセットするため、キャップをねじ込んだ挿入棒を表側から差し込んで、砕石等で埋め戻し固定してから引き抜く。（図１２）【００２０】    コンクリート２次製品には石積み模様のブロックが有るが、現場打ちコンクリートに於いては殺風景と成り易いので、景観上必要で有るなら偽石模様の型枠を用いる。（図１３）【００２１】    国・都道府県・市町村等において、花・木・鳥等の模様・色彩等が必要な場所に於いては、その模様の型枠を使用し、色彩が必要で有れば色素注入用ガンにより注入出来るようにニップルを取り付けた型枠を使用する。
【発明の効果】
【００２２】    木材の使用を極力削減し鋼製の材料を使うことによって、必要外の森林伐採を無くし、産業廃棄物を減らし、工期短縮・工事費削減・危険回避を行う事が出来る。
【図面の簡単な説明】
【００２３】
【図１】    主に型枠１段の場合に用いる方法で、セパレートを水抜き穴に差込み、ホームタイで型枠を押さえて単管パイプ等で型枠を固定させる。
【図２】    主に型枠を２段以上にする場合に用いる方法で、セパレートを水抜き穴に差込み、ホームタイで型枠を押さえて単管パイプ等で型枠を固定させるが、下段と上段とを固定するためホームタイを２段重ねにして単管パイプ等を縦と横に使用する。
【図３】    図２の様にホームタイを２段重ねで使用する場合の使用方法。
【図４】    型枠１段を垂直に使用し、直壁のコンクリートを施工する場合の方法。先行工事の基礎にアンカーを打ち込み斜面側の型枠を差込み、手前側の型枠をナットで固定する。斜面側の型枠が外れ易い様に剥離剤または油紙を使用する。
【図５】    通常上部は傾斜により直壁と法面との間隔が開くので１段目より上は従来の施工方法で行えるが、急な崖地等で危険が伴う恐れがある場合には１段目の型枠から出ているボルトに２段目を差込み、出来れば両側をナットで締め付けて安定させる。
【図６】    直壁で無い場合等で、セパレートと型枠が直角に成らない場合の施工方法で、セパレートとホームタイの間に角度の付いた部材を取り付ける。この部材を使うことによってセパレートを曲げずに角度のある型枠でも正確な寸法に施工出来る。
【図７】    図６の直角で無い場合の部材の取り付け詳細図。
【図８】    災害復旧等で斜面側の型枠が抜けなくなる恐れが有る場合等の施工方法で、斜面側に鉄板を用いセパレートを取り付けられる様に補強板を取り付け内ネジを施す。これにより水抜き穴に差し込んだセパレートをコンクリート打設後外す事によって鉄板を剥がして撤去する事が出来る。
【図９】    図８を斜壁に使用する場合の施工方法で、先行工事の基礎にアンカーで部材を固定し、部材の上に鉄板を乗せて安定させる。
【図１０】    図９の施工方法。（１）アンカーで固定した部材に鉄板を乗せて安定させる。  （２）斜壁勾配に合わせて設置する。鉄板の上部には固定用金具を取り付けてボルトで緊結し、法面までの距離に適合したサポートを固定用金具にボルトで固定する。  （３）水抜き穴にセパレートを通して鉄板の内ネジに捻じ込み、型枠の外側からセパレートのネジにホームタイを捻じ込んで、単管パイプ等で型枠を固定する。  （４）コンクリート打設後表側の単管パイプ・ホームタイを外しセパレートの６角ボルトを回して外し、表側の型枠を撤去する。裏側の鉄板を撤去すると同時に水抜き穴にキャップを取り付け、砕石等を埋めながらサポートと固定金具を撤去する。
【図１１】    （１）鉄板の上部固定部材。固定部材と鉄板を固定するためのボルトと、固定部材とサポートを固定するためのボルトの取り付け詳細図。  （２）鉄板の下部固定部材。
【図１２】    水抜き穴用キャップ。コンクリート打設後型枠を撤去してから水抜き穴に差込み、砕石等を埋め戻してから挿入棒を回し緩めて引き抜く。
【図１３】    セパレートを通す穴の開いた型枠と偽石模様を施した型枠とその断面図。
【図１４】    景観上コンクリート打ち放しでは良くない場合に型枠にニップルを取り付けておいてコンクリート打設、バイブレーター使用後固まる前に色素注入用ガンを用いてニップルからコンクリートの中に色素を注入する。
【発明を実施するための形態】
【００２４】    本発明の擁壁等工事の装置及び方法は緊急を要する災害復旧工事だけではなく、通常工事に於いても工期短縮・工事費削減・危険回避が出来る。
【００２５】    擁壁工事の施工場所から離れた場所で型枠をセパレート・ホームタイ・単管パイプ等で組み立て、固定してからクレーン等で施工場所に設置することが出来る。
【００２６】    通常河川等の護岸工事に於いては２次製品のブロックを使用し、無筋コンクリートを打設して下部から上に積み上げて施工するが、本発明では鉄筋を組んでコンクリートを打設する事が出来るので、従来の工事方法より施工後の耐久性が良い。
【符号の説明】
【００２７】    １・・・型枠
１ａ・・・斜壁用型枠セパレータ穴３段
１ｂ・・・裏側用型枠セパレータ穴３段
２・・・セパレータ
３・・・水抜き穴
４ａ・・・従来のホームタイより短いホームタイ。重ね繋ぎが可能。
４ｂ・・・従来のホームタイと同等の長さ。重ね繋ぎが可能。
５・・・単管パイプ
６・・・剥離剤または油紙
７・・・基礎コンクリート
８・・・アンカーボルト・ナット
９・・・アンカーボルト
１０・・・地山・斜面
１１・・・鉄板
１２・・・内ネジ用補強板
１３・・・水抜き穴が不要でホームタイが必要な場合に使用する部材。
１４・・・角度が有る型枠のホームタイとセパレータの接続部材。
１４ａ・・・自在用球体付ボルト
１４ｂ・・・自在用セパテータ接続部材
１５・・・鉄板の下部固定用部材。
１６・・・アンカー固定用穴
１７ａ・・・鉄板固定用部材
１７ｂ・・・鉄板固定用部材と鉄板のズレ止めボルト。
１７ｃ・・・鉄板固定用部材とサポートのズレ止めボルト。
１８・・・サポート
１９・・・型枠接続ボルト・ナット
２０・・・型枠差込み用ボルト
２１・・・模様用型枠
２２・・・模様用型枠断面図
２３・・・色素注入用ニップル
【図１】
2018009430.tif 000003
【図２】
2018009430.tif 000004
【図３】
2018009430.tif 000005
【図４】
2018009430.tif 000006
【図５】
2018009430.tif 000007
【図６】
2018009430.tif 000008
【図７】
2018009430.tif 000009
【図８】
2018009430.tif 000010
【図９】
2018009430.tif 000011
【図１０】
2018009430.tif 000012
【図１１】
2018009430.tif 000013
【図１２】
2018009430.tif 000014
【図１３】
2018009430.tif 000015
【図１４】
2018009430.tif 000016